【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
フラクチャリング流体であって、
水性流体と、
カルボキシル含有合成ポリマーと、
粒径０．１〜５００ナノメートルを有する金属酸化物ナノ粒子と、
前記カルボキシル含有合成ポリマーを架橋して架橋ゲルを形成する金属架橋剤と、
を含み、前記金属酸化物ナノ粒子が前記架橋ゲル内に分散される、フラクチャリング流体。
【請求項２】
前記カルボキシル含有合成ポリマーが、アクリルアミド系ポリマーを含む、請求項１に記載のフラクチャリング流体。 
【請求項３】
前記アクリルアミド系ポリマーが、ポリアクリルアミドコポリマー、ポリアクリルアミドターポリマー、ポリアクリルアミドテトラポリマー、またはそれらの組み合わせを含む、請求項２に記載のフラクチャリング流体。
【請求項４】
前記ポリアクリルアミドコポリマーが、アクリル酸、及びアクリル酸誘導体からなる群から選択される少なくとも１つのモノマーを含む、請求項２に記載のフラクチャリング流体。
【請求項５】
前記フラクチャリング流体が、０．０００２重量％〜２重量％の金属酸化物ナノ粒子を含む、請求項１に記載のフラクチャリング流体。
【請求項６】
前記金属架橋剤が、ジルコニウム架橋剤、チタニウム架橋剤、アルミニウム架橋剤、クロム架橋剤、鉄架橋剤、ハフニウム架橋剤、アンチモン架橋剤、その他の金属架橋剤、及びそれらの組み合わせからなる群から選択される、請求項１に記載のフラクチャリング流体。
【請求項７】
前記フラクチャリング流体が、０．０２重量％〜２重量％の金属架橋剤を含む、請求項１に記載のフラクチャリング流体。
【請求項８】
前記フラクチャリング流体が、１〜６０ｐｐｔｇのカルボキシル含有合成ポリマーを含む、請求項１に記載のフラクチャリング流体。
【請求項９】
前記フラクチャリング流体が１つまたはそれ以上の添加剤を含み、前記添加剤が緩衝剤、抗酸化剤、殺生物剤、粘土安定剤、転用剤、流体損失添加剤、摩擦低減剤、鉄コントローラー、ゲル安定剤、陰イオン性界面活性剤、陽イオン性界面活性剤、両性界面活性剤、双性イオン性界面活性剤、非イオン性界面活性剤、及びそれらの組み合わせからなる群から選択される、請求項１に記載のフラクチャリング流体。
【請求項１０】
前記フラクチャリング流体が、１〜１００ｐｐｔｇの架橋ゲルを含む、請求項１に記載のフラクチャリング流体。
【請求項１１】
前記架橋ゲルを分解するための粘度ブレーカーをさらに含み、前記粘度ブレーカーが、前記粘度ブレーカーの徐放性のためにカプセルに入れられる、請求項１に記載のフラクチャリング流体。
【請求項１２】
前記金属酸化物ナノ粒子の前記金属酸化物が、ジルコニウム酸化物、セリウム酸化物、チタニウム酸化物、及びそれらの組み合わせからなる群から選択される、請求項１に記載のフラクチャリング流体。
【請求項１３】
前記フラクチャリング流体が、１〜１００ｐｐｔｇの架橋ゲルを含み、前記架橋ゲルが１〜５０ｐｐｔｇのポリアクリルアミド、０．１〜５００ナノメートルの粒径を有する金属酸化物ナノ粒子、及び前記ポリアクリルアミドを架橋して前記架橋ゲルを形成する金属架橋剤を含み、前記金属酸化物ナノ粒子が前記架橋ゲル内に分散される、請求項１に記載のフラクチャリング流体。
【請求項１４】
前記金属酸化物ナノ粒子がジルコニウム酸化物ナノ粒子であり、前記金属架橋剤がジルコニウム架橋剤である、請求項１３に記載のフラクチャリング流体。
【請求項１５】
前記金属酸化物ナノ粒子が、金属酸化物ナノ粒子分散内にある、請求項１に記載のフラクチャリング流体。
【手続補正２】
【補正対象書類名】明細書
【補正対象項目名】００４４
【補正方法】変更
【補正の内容】
【００４４】
主張した主題の趣旨及び範囲を逸脱せずに、記述した実施形態をさまざまに修正及び改変できることは、当業者には明らかである。従って、本明細書は、そのような修正及び改変は、添付の請求項及びその同価物の範囲内であるという条件で、さまざまな記述した実施形態の修正及び改変を包含することを意図するものである。
以下、本発明の好ましい実施形態を項分け記載する。
実施形態１
フラクチャリング流体であって、
水性流体と、
カルボキシル含有合成ポリマーと、
粒径０．１〜５００ナノメートルを有する金属酸化物ナノ粒子と、
前記カルボキシル含有合成ポリマーを架橋して架橋ゲルを形成する金属架橋剤と、
を含み、前記金属酸化物ナノ粒子が前記架橋ゲル内に分散される、フラクチャリング流体。
実施形態２
前記カルボキシル含有合成ポリマーが、アクリルアミド系ポリマーを含む、実施形態１に記載のフラクチャリング流体。 
実施形態３
前記アクリルアミド系ポリマーが、ポリアクリルアミドコポリマー、ポリアクリルアミドターポリマー、ポリアクリルアミドテトラポリマー、またはそれらの組み合わせを含む、実施形態２に記載のフラクチャリング流体。
実施形態４
前記ポリアクリルアミドコポリマーが、アクリル酸、及びアクリル酸誘導体からなる群から選択される少なくとも１つのモノマーを含む、実施形態２に記載のフラクチャリング流体。
実施形態５
前記フラクチャリング流体が、０．０００２重量％〜２重量％の金属酸化物ナノ粒子を含む、実施形態１に記載のフラクチャリング流体。
実施形態６
前記金属架橋剤が、ジルコニウム架橋剤、チタニウム架橋剤、アルミニウム架橋剤、クロム架橋剤、鉄架橋剤、ハフニウム架橋剤、アンチモン架橋剤、その他の金属架橋剤、及びそれらの組み合わせからなる群から選択される、実施形態１に記載のフラクチャリング流体。
実施形態７
前記フラクチャリング流体が、０．０２重量％〜２重量％の金属架橋剤を含む、実施形態１に記載のフラクチャリング流体。
実施形態８
前記フラクチャリング流体が、１〜６０ｐｐｔｇのカルボキシル含有合成ポリマーを含む、実施形態１に記載のフラクチャリング流体。
実施形態９
前記フラクチャリング流体が１つまたはそれ以上の添加剤を含み、前記添加剤が緩衝剤、抗酸化剤、殺生物剤、粘土安定剤、転用剤、流体損失添加剤、摩擦低減剤、鉄コントローラー、ゲル安定剤、界面活性剤、及びそれらの組み合わせからなる群から選択される、実施形態１に記載のフラクチャリング流体。
実施形態１０
前記界面活性剤が、陰イオン性界面活性剤、陽イオン性界面活性剤、両性界面活性剤、双性イオン性界面活性剤、非イオン性界面活性剤、またはそれらの組み合わせを含む、実施形態９に記載のフラクチャリング流体。
実施形態１１
前記フラクチャリング流体が、１〜１００ｐｐｔｇの架橋ゲルを含む、実施形態１に記載のフラクチャリング流体。
実施形態１２
前記架橋ゲルを分解するための粘度ブレーカーをさらに含む、実施形態１に記載のフラクチャリング流体。
実施形態１３
前記粘度ブレーカーが、前記粘度ブレーカーの徐放性のためにカプセルに入れられる、実施形態１２に記載のフラクチャリング流体。
実施形態１４
前記金属酸化物ナノ粒子の前記金属酸化物が、ジルコニウム酸化物、セリウム酸化物、チタニウム酸化物、及びそれらの組み合わせからなる群から選択される、実施形態１に記載のフラクチャリング流体。
実施形態１５
前記フラクチャリング流体が、１〜１００ｐｐｔｇの架橋ゲルを含み、前記架橋ゲルが１〜５０ｐｐｔｇのポリアクリルアミド、０．１〜５００ナノメートルの粒径を有する金属酸化物ナノ粒子、及び前記ポリアクリルアミドを架橋して前記架橋ゲルを形成する金属架橋剤を含み、前記金属酸化物ナノ粒子が前記架橋ゲル内に分散される、実施形態１に記載のフラクチャリング流体。
実施形態１６
前記金属酸化物ナノ粒子がジルコニウム酸化物ナノ粒子であり、前記金属架橋剤がジルコニウム架橋剤である、実施形態１５に記載のフラクチャリング流体。
実施形態１７
ブライン溶液をさらに含む、実施形態１に記載のフラクチャリング流体。
実施形態１８
前記金属酸化物ナノ粒子が、遷移金属酸化物、希土金属酸化物、またはそれらの組み合わせを含む、実施形態１に記載のフラクチャリング流体。
実施形態１９
前記金属酸化物ナノ粒子が、金属酸化物ナノ粒子分散内にある、実施形態１に記載のフラクチャリング流体。